(57)【要約】      （修正有）【課題】互いに隣り合うカーテンウォールが有する空間同士を連通させることが可能な枠体を提供する。【解決手段】ＰＣ板６の面外方向における一方側に設けられＰＣ板とともにカーテンウォールを構成する枠体５であって、ＰＣ板と間隔を空けて設けられ透光性を有する面材の周端部を収容する枠本体部材５２０と、ＰＣ板と面材との間の空間Ｓを囲む周壁部の一部をなし、ＰＣ板と枠本体部材との間に取り外し可能に介在される周枠部材５２１、５２２と、を有する。【選択図】図３
2019082052.tif 000002
【特許請求の範囲】
【請求項１】
ＰＣ板の面外方向における一方側に設けられ当該ＰＣ板とともにカーテンウォールを構成する枠体であって、
前記ＰＣ板と間隔を空けて設けられ透光性を有する面材の周端部を収容する枠本体部材と、
前記ＰＣ板と前記面材との間の空間を囲む周壁部の一部をなし、前記ＰＣ板と前記枠本体部材との間、または、前記枠本体部材に取り外し可能に設けられる周枠部材と、
を有することを特徴とする枠体。
【請求項２】
請求項１に記載の枠体であって、
前記周枠部材は、前記ＰＣ板の面外方向に挿入されて前記枠本体部材に係合される第一部材と、
前記第一部材の前記ＰＣ板側にて当該ＰＣ板の面内方向に移動可能に設けられ、前記第一部材に固定されて当該第一部材の前記ＰＣ板の面外方向の移動を規制する第二部材と、
を有することを特徴とする枠体。
【請求項３】
請求項２に記載の枠体であって、
前記第一部材と前記第二部材とは、各々が有する、前記枠体の外周側から内周側に向かって前記ＰＣ板との間隔が狭くなる傾斜面にて接触していることを特徴とする枠体。
【請求項４】
請求項１乃至請求項３のいずれかに記載の枠体であって、
前記周枠部材は、前記ＰＣ板の面内方向において対向する２箇所に設けられていることを特徴とする枠体。
【請求項５】
請求項１乃至請求項４のいずれかに記載の枠体であって、
前記ＰＣ板の製造時にコンクリートを打設する際の型枠の一部をなすことを特徴とする枠体。
【発明の詳細な説明】
【技術分野】
【０００１】
本発明は、ＰＣ板とともにカーテンウォールを構成する枠体に関する。
【背景技術】
【０００２】
ＰＣ板とともにカーテンウォールを構成する枠体としては、例えば、カーテンウォールを構成するＰＣ板の室外側に設けられ、ガラスパネルを内側に配置した枠体が知られている（例えば、特許文献１参照）。ＰＣ板は、室外側が開放されて室内側に窪むように、断面形状が略Ｃ字状をなしており、ＰＣ板の窪んでいる部位において室外に臨む面とガラスパネルとが所定の間隔を空けて対向するように枠体がＰＣ板に取り付けられている。すなわち、ＰＣ板の室外に臨む面とガラスパネルとの間に、ＰＣ板と枠体とに囲まれた空間が形成されている。
【先行技術文献】
【特許文献】
【０００３】
【特許文献１】特開２０１２―７３７４号公報
【発明の概要】
【発明が解決しようとする課題】
【０００４】
上記のようなカーテンウォールの中には、ＰＣ板とガラスパネルとの間の空間に、例えば照明などの装飾物が備えられているものがある。そして、建物の壁面に上下方向及び左右方向に並べて設けられるカーテンウォールは、上下方向又は左右方向に連なる複数のカーテンウォールに跨がって装飾物を設けることが求められる場合がある。上記のようなカーテンウォールにあっては、ＰＣ板とガラスパネルとの間の空間が、枠体とＰＣ板とにより囲まれているので、互いに隣り合うカーテンウォールに跨がって装飾物を設けることができないという課題がある。
【０００５】
本発明は、かかる課題に鑑みてなされたものであり、その目的とするところは、互いに隣り合うカーテンウォールが有する空間同士を連通させることが可能な枠体を提供することにある。
【課題を解決するための手段】
【０００６】
かかる目的を達成するために本発明の枠体は、ＰＣ板の面外方向における一方側に設けられ当該ＰＣ板とともにカーテンウォールを構成する枠体であって、前記ＰＣ板と間隔を空けて設けられ透光性を有する面材の周端部を収容する枠本体部材と、前記ＰＣ板と前記面材との間の空間を囲む周壁部の一部をなし、前記ＰＣ板と前記枠本体部材との間、または、前記枠本体部材に取り外し可能に設けられる周枠部材と、を有することを特徴とする枠体である。
【０００７】
このような枠体によれば、ＰＣ板と面材との間の空間を囲む周壁部の一部をなす周枠部材は、ＰＣ板と枠本体部材との間、または、枠本体部材に設けられているので、周枠部材を取り外すことにより、ＰＣ板と面材との間の空間と、カーテンウォールの外側の空間とを連通させることが可能である。このため、互いに隣り合うカーテンウォールを、各々の周枠部材を取り外した部位を互いに対向させて配置することにより、互いに隣り合うカーテンウォールが有する空間同士を連通させることが可能である。
【０００８】
かかる枠体であって、前記周枠部材は、前記ＰＣ板の面外方向に挿入されて前記枠本体部材に係合される第一部材と、前記第一部材の前記ＰＣ板側にて当該ＰＣ板の面内方向に移動可能に設けられ、前記第一部材に固定されて当該第一部材の前記ＰＣ板の面外方向の移動を規制する第二部材と、を有することが望ましい。
【０００９】
このような枠体によれば、ＰＣ板の面外方向における第一部材の移動が、第二部材により規制されているので、第二部材を取り外さなければ、第一部材の枠本体部材との係合が外れない。このため、第二部材を固定することにより第一部材及び第二部材を枠本体部材と一体に設けておくことが可能であり、内部に区画された空間を備えたカーテンウォールとしても使用することが可能である。
【００１０】
かかる枠体であって、前記第一部材と前記第二部材とは、各々が有する、前記枠体の外周側から内周側に向かって前記ＰＣ板との間隔が狭くなる傾斜面にて接触していることが望ましい。
【００１１】
このような枠体によれば、第一部材と第二部材とが、枠体の外周側から内周側に向かってＰＣ板との間隔が狭くなる傾斜面にて互いに接触しているので、第二部材は、枠体の外周側に移動させるだけで容易に取り外すことが可能である。このため、第一部材及び第二部材を取り外すことにより、ＰＣ板と面材との間の空間と、カーテンウォールの外側の空間とを連通させることが可能である。
【００１２】
かかる枠体であって、前記周枠部材は、前記ＰＣ板の面内方向において対向する２箇所に設けられていることが望ましい。
このような枠体によれば、２箇所の周枠部材を取り外した枠体を備えた複数のカーテンウォールを、面内方向に並べて配置し、隣接するカーテンウォールの取り外した部位同士を対向させることにより、複数のカーテンウォールの空間を連通させることが可能である。
【００１３】
かかる枠体であって、
前記ＰＣ板の製造時にコンクリートを打設する際の型枠の一部をなすことが望ましい。
このような枠体によれば、枠体を型枠として設置してコンクリートを打設するだけで、ＰＣ板と枠体とを備えて、周枠部材を取り外し可能なカーテンウォールを製造することが可能である。
【発明の効果】
【００１４】
本発明によれば、互いに隣り合うカーテンウォールが有する空間同士を連通させることが可能な枠体を提供することにある。
【図面の簡単な説明】
【００１５】
【図１】本実施形態に係る枠体を備えたカーテンウォールを示す縦断面図である。
【図２】本実施形態に係る枠体を備えたカーテンウォールを示す横断面図である。
【図３】周枠部材の取り外し手順を示す図である。
【図４】周枠部材を取り外したカーテンウォールを示す横断面図である。
【図５】左右方向に並べられたカーテンウォールを示す横断面図である。
【発明を実施するための形態】
【００１６】
以下、本発明の一実施形態に係る枠体について図面を参照して説明する。
【００１７】
本実施形態では、ＰＣ板と枠体とが一体をなすカーテンウォールを例に挙げて説明する。本実施形態のカーテンウォール１は、図１に示すように、建物の階床間、すなわち、下の階の天井２より上であり上の階の床３より下となる、所謂スパンドレルに設けられるカーテンウォール１であり、当該カーテンウォール１の上下には窓４が設けられる。
【００１８】
カーテンウォール１は、屋外側に配置される面材としてのガラス１ａの周端部を収容する金属製の枠体５と、枠体５の屋内側に配置されるＰＣ板６と、を有している。このカーテンウォール１は、例えば、ＰＣ板６を打設する型枠（不図示）内に枠体５が配設され、型枠内にコンクリートが打設されて枠体５が備える流入凹部５ａに進入したコンクリートが硬化することによりＰＣ板６と枠体５とが一体化されている。
【００１９】
以下の説明では、建物等に取り付けられたカーテンウォール１を屋外側から見たときに上下となる方向を上下方向、左右となる方向を左右方向、屋内外方向である奥行き方向を見込み方向として示す。カーテンウォール１の各部位であっても、また、カーテンウォール１を構成する各部材については単体の状態であっても、カーテンウォール１が取り付けられた状態で上下方向、左右方向、見込み方向となる方向にて方向を特定して説明する。また、カーテンウォール１及び枠体５において、ガラス１ａが設けられている側を内周側、反対側を外周側として説明する。
【００２０】
枠体５は、ガラス１ａの上下の端部を各々収容する横枠材５１と、ガラス１ａの左右の端部を各々収容する縦枠材５２とが接合されて矩形状をなしている。より具体的には、左右の縦枠材５２の上端部間及び下端部間に配置された横枠材５１は、枠組みされたときに外周側となる部位側から進入し縦枠材５２を貫通するビスが螺合されて接合されている。
【００２１】
上下に位置する横枠材５１は、同一の押出成形部材であり、互いの上下を反転した状態で配置されている。ここでは、ガラス１ａの下に配置された横枠材５１を例に挙げて説明する。
【００２２】
下の横枠材５１は、見込み方向に間隔を空けて対面する一対の対向壁部５１ａと、一対の対向壁部５１ａ間に水平面を形成し上下方向に対向する一対のリブ５１ｂと、屋内側の対向壁部５１ａの上下端部から屋内側に延出された上下の屋内延出片５１ｃと、を有している。
【００２３】
一対の対向壁部５１ａと、一対の対向壁部５１ａの間に設けられた一対のリブ５１ｂにより左右方向に連通する横枠中空部５１ｅが形成されている。また、上側のリブ５１ｂと、上側のリブ５１ｂより上方に突出する一対の対向壁部５１ａとにより当該カーテンウォール１に設けられるガラス１ａの下端が収容されるガラス収容凹部５１ｆが形成され、下側のリブ５１ｂと、下側のリブ５１ｂより下方に突出する一対の対向壁部５１ａとにより、下の窓４に設けられるガラス１ａの上端が収容されるガラス収容凹部５１ｆが形成されている。
【００２４】
上下のガラス収容凹部５１ｆを形成する一対の対向壁部５１ａの端部には、ガラス１ａとの間に介在される止水材７が係止される止水材係止片５１ｇが設けられている。
【００２５】
屋内側の対向壁部５１ａの上下端部から屋内側に延出された上下の屋内延出片５１ｃの先端は互いに対向する側に突出された対向突片５１ｈが設けられている。屋内側の対向壁部５１ａ、上下の屋内延出片５１ｃ及び、上下の対向突片５１ｈにより形成される、屋外側に窪む凹部は、製造時に打設されるコンクリートが流入する流入凹部５ａをなしている。
【００２６】
左右に位置する縦枠材５２は、同一の部材であり、互いの左右を反転した状態で配置されている。ここでは、ガラス１ａの右に配置された縦枠材５２を例に挙げて説明する。
【００２７】
図２に示すように、右の縦枠材５２は、屋外側に配置され横枠材５１とビスにより接合される枠本体部材としての縦枠本体部材５２０と、縦枠本体部材５２０に屋内側から係合される第一部材としての縦枠係合部材５２１と、縦枠係合部材５２１の屋内側に配置される第二部材としての縦枠屋内部材５２２と、を有している。縦枠屋内部材５２２が、縦枠本体部材５２０に係合された縦枠係合部材５２１に外周側よりビス止めされて、縦枠本体部材５２０、縦枠係合部材５２１、及び、縦枠屋内部材５２２が一体をなしている。
縦枠本体部材５２０、縦枠係合部材５２１、及び、縦枠屋内部材５２２は、いずれも押出成形部材である。
【００２８】
縦枠本体部材５２０は、上下方向に連通する矩形状の屋外側中空部５２０ａを有しており、屋外側中空部５２０ａの屋外側にガラス１ａの端部が保持されるガラス保持部５２０ｂを有し、屋内側に縦枠係合部材５２１の係合片５２１ｃが係合される係合凹部５２０ｃが設けられている。
【００２９】
屋外側中空部５２０ａを形成し外周側に位置する外周見込壁部５２０ｄは、屋外側に延出されており、ガラス１ａの端部が保持されるガラス保持部５２０ｂを有し、先端側に押縁５２３が係止される押縁係止部５２０ｅが設けられている。屋外側中空部５２０ａを形成し屋外に向く平面をなす屋外壁部５２０ｆの内周側の部位には、ガラス１ａとの間に介在される止水材７が係止される止水材係止片５２０ｇが設けられている。
【００３０】
押縁５２３は、ガラス１ａの右端を屋外壁部５２０ｆとの間に保持された状態で、押縁５２３が有し屋外に臨む面を形成する押縁壁部５２３ａが、横枠材５１が有する屋外側の対向壁部５１ａと同一平面をなすように構成されている。
【００３１】
屋外側中空部５２０ａを形成する外周側の外周見込壁部５２０ｄ及び内周側の内周見込壁部５２０ｈは、屋内側に延出され、各々の先端に、互いに対向する方向に突出する突部５２０ｉを有している。屋外側中空部５２０ａを形成し屋内に向く平面をなす屋内壁部５２０ｊと、突部５２０ｉを含む外周見込壁部５２０ｄ及び内周見込壁部５２０ｈとにより形成される凹部が、縦枠係合部材５２１の係合片５２１ｃが係合される係合凹部５２０ｃをなしている。
【００３２】
縦枠係合部材５２１は、上下方向に連通し水平断面が台形状をなす中央中空部５２１ａを有している。中央中空部５２１ａを形成する屋外側の中央屋外壁部５２１ｂには、屋外側に向かって突出し、縦枠本体部材５２０の係合凹部５２０ｃに係合される２つの係合片５２１ｃが、各々左右方向の端より僅か内側に設けられている。中央中空部５２１ａを形成する屋内側の中央屋内壁部５２１ｄは、外周側から内周側に向かって中央屋外壁部５２１ｂとの間隔が漸次広がる傾斜面をなしている。
【００３３】
縦枠屋内部材５２２は、上下方向に連通し水平断面が台形状をなす屋内側中空部５２２ａを有している。
屋内側中空部５２２ａを形成し屋外に向き中央屋内壁部５２１ｄと対面して設けられる屋内対面壁部５２２ｂは、外周側から内周側に向かい、屋内側中空部５２２ａを形成し屋内に向く平面をなす屋内平面部５２２ｃとの間隔が漸次狭まる傾斜面をなしている。屋内側中空部５２２ａを形成し外周側に位置する屋内側外周壁部５２２ｄは、縦枠係合部材５２１の外周側の見込み面５２１ｅより外周側に位置するとともに屋外側に延出されている。
【００３４】
屋内側外周壁部５２２ｄにおいて屋外側に延出している部位は、縦枠係合部材５２１の外周側の見込み面５２１ｅと左右方向において重なり合い、外周側から進入するビス５２４により固定されている。
【００３５】
縦枠本体部材５２０に係合された縦枠係合部材５２１に、縦枠屋内部材５２２がビス止めされた状態で、縦枠本体部材５２０の屋外壁部５２０ｆ及び屋内壁部５２０ｊと、縦枠係合部材５２１の中央屋外壁部５２１ｂと、縦枠屋内部材５２２の屋内平面部５２２ｃとが、平行をなしている。
【００３６】
上下の横枠材５１と左右の縦枠本体部材５２０とが接合された状態で、見込み方向の厚みが同一の枠状をなしており、縦枠本体部材５２０に係合される縦枠係合部材５２１と、縦枠係合部材５２１にビス止めされた縦枠屋内部材５２２とが、上下の横枠材５１より屋内側に突出している。
【００３７】
本実施形態のカーテンウォール１は、矩形状の外周型部と、中央に設けられて上方に突出する突出型部とを有する型枠内に、枠体５が配設され、型枠内に上方からコンクリートが打設されることにより製造される。このとき、枠体５の内周側に嵌め込まれる突出型部は、横枠材５１の屋外側の対向壁部５１ａが下面をなすように型枠内に配設されたときに、縦枠材５２の屋内平面部５２２ｃの高さと同じ高さをなすように構成されている。
【００３８】
打設されたコンクリートが、横枠材５１の流入凹部５ａに流入して硬化することにより、屋内平面部５２２ｃ及び突出型部よりも高い位置までコンクリートが打設されて形成されたＰＣ板（プレキャストコンクリート板）６と枠体５とが一体化される。
【００３９】
型枠から取り外し、ＰＣ板６と一体化された枠体５に止水材７を嵌合し、ガラス１ａを他の止水材７及び押縁５２３により取り付けると、ガラス１ａとＰＣ板６間に空間Ｓを備えたカーテンウォール１が完成する。このとき形成されたカーテンウォール１は、空間Ｓの上下においてＰＣ板と横枠材５１とがコンクリートにより繋がっており、空間Ｓの左右は、ＰＣ板と縦枠本体部材５２０との間に縦枠係合部材５２１と縦枠屋内部材５２２とが介在されて繋がっている。すなわち、空間Ｓの上下においてＰＣ板から張り出したコンクリートと縦枠係合部材５２１及び縦枠屋内部材５２２が空間Ｓを囲む周壁部をなしている。
【００４０】
また、ＰＣ板と縦枠本体部材５２０の間に介在されている縦枠係合部材５２１及び縦枠屋内部材５２２は、周壁部の一部をなす周枠部材に相当する。周枠部材をなす縦枠係合部材５２１及び縦枠屋内部材５２２は、左右の縦枠材５２にそれぞれ設けられているので、ＰＣ板６の面内方向において対向する２箇所に設けられている。
【００４１】
製造されたカーテンウォール１は、図３に示すように、縦枠材５２の、縦枠係合部材５２１にビス止めされている縦枠屋内部材５２２のビス５２４を外して、縦枠屋内部材５２２を外周側に、ＰＣ板６の面内方向にスライドさせて取り外し、縦枠係合部材５２１を屋内側に移動させることにより、縦枠本体部材５２０との係合を解除して縦枠係合部材５２１を取り外すことが可能である。このように、縦枠屋内部材５２２及び縦枠係合部材５２１を取り外すと、図４に示すように、ガラス１ａとＰＣ板６との間の空間Ｓと、カーテンウォール１の外側の空間Ｓｏとが左右方向に連通されたカーテンウォール１１が完成する。
【００４２】
縦枠屋内部材５２２及び縦枠係合部材５２１を取り外したカーテンウォール１１は、図５に示すように、互いに隣り合うカーテンウォール１１の、縦枠屋内部材５２２及び縦枠係合部材５２１が取り外された部位同士が対面するように配置することにより、例えば、ＬＥＤ照明などを左右方向に隣り合うカーテンウォール１１内に跨がって配置することが可能である。すなわち、カーテンウォール１１が有する空間Ｓ内にＬＥＤ照明などを備える場合には、カーテンウォール１１の各々の間にてＬＥＤ照明が途切れないので、カーテンウォール１１のより広い領域を照明で照らすことが可能である。また、連通したカーテンウォール１１は、左右方向の偏った位置から斜めにカーテンウォール１１を見た場合であっても、カーテンウォール１１の側壁が見えず、照明が繋がるので、より優れた意匠性を実現することが可能である。
【００４３】
また、縦枠屋内部材５２２が固定されている状態では、ＰＣ板６の面外方向（見込み方向）における縦枠係合部材５２１の移動が、縦枠屋内部材５２２により規制されているので、縦枠屋内部材５２２を取り外さなければ、縦枠係合部材５２１の縦枠本体部材５２０との係合が外れない。このため、縦枠屋内部材５２２を固定することにより縦枠係合部材５２１及び縦枠屋内部材５２２を縦枠本体部材５２０と一体に設けておくことが可能であり、内部に区画された空間を備えたカーテンウォール１としても使用することが可能である。
【００４４】
また、縦枠係合部材５２１と縦枠屋内部材５２２とが、枠体５の外周側から内周側に向かってＰＣ板６との間隔が狭くなる傾斜面にて互いに接触しているので、縦枠屋内部材５２２を、枠体５の外周側に移動させるだけで容易に取り外すことが可能である。このため、縦枠係合部材５２１及び縦枠屋内部材５２２を取り外すことにより、ＰＣ板６とガラス１ａとの間の空間Ｓと、カーテンウォール１１の外側の空間Ｓｏとを連通させることが可能である。
【００４５】
また、縦枠係合部材５２１と縦枠屋内部材５２２とは、ＰＣ板６の面内方向において対向する２箇所に設けられているので、２箇所に設けられた縦枠係合部材５２１と縦枠屋内部材５２２とをそれぞれ取り外し、取り外した部位を対向させて互いに隣接させることにより、複数のカーテンウォール１１の空間Ｓを連通させることが可能である。このとき、縦枠係合部材５２１と縦枠屋内部材５２２とが少なくとも１箇所に設けられていれば、隣り合うカーテンウォール１１の各々空間Ｓと連通する部位同士を対向させて２つのカーテンウォール間１１に跨がってＬＥＤ照明等の装飾物を配置することが可能である。
【００４６】
また、枠体５をＰＣ板６の製造時にコンクリートを打設する際の型枠の一部とすることにより、枠体５を型枠内に設置してコンクリートを打設するだけで、ＰＣ板６と枠体５とを備えて、縦枠係合部材５２１と縦枠屋内部材５２２とを取り外し可能なカーテンウォール１を製造することが可能である。
【００４７】
上記実施形態においては、縦枠本体部材５２０の屋内側に縦枠係合部材５２１と縦枠屋内部材５２２とが取り外し可能に設けられている例について説明したが、これに限るものではない。たとえば、縦枠本体部材が、周壁部の一部をなして屋内側に突出する部位を有しており、この突出している部位に縦枠係合部材５２１と縦枠屋内部材５２２とが取り外し可能に設けられていてもよい。この場合には、縦枠係合部材５２１と縦枠屋内部材５２２とを取り外すことにより、縦枠本体部材に、ガラス１ａとＰＣ板６との間の空間Ｓと、カーテンウォール１の外側の空間Ｓｏとを連通する開口が形成される。
【００４８】
上記実施形態においては、縦枠材５２に縦枠係合部材５２１と縦枠屋内部材５２２とを備え、縦枠係合部材５２１と縦枠屋内部材５２２を取り外すことにより、左右方向に連通するカーテンウォール１１を例に挙げて説明したが、横枠材５１を縦材として用い、縦枠材５２を横材として用いて、上下方向に連通するカーテンウォールとして使用しても構わない。
【００４９】
また、上記実施形態においては、面材をガラス１ａとしてが、透光性を有する面材であれば、これに限るものではない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  カーテンウォール、１ａ  ガラス、５  枠体、６  ＰＣ板、
１１  カーテンウォール、５１  横枠材、５２  縦枠材、５２０  縦枠本体部材、
５２１  縦枠係合部材、５２１ｄ  中央屋内壁部、５２２  縦枠屋内部材、
Ｓ  ガラスとＰＣ板との間の空間、Ｓｏ  カーテンウォールの外側の空間、
【図１】
2019082052.tif 000003
【図２】
2019082052.tif 000004
【図３】
2019082052.tif 000005
【図４】
2019082052.tif 000006
【図５】
2019082052.tif 000007